(57)【特許請求の範囲】
【請求項１】
床上に設置されるフロアキャビネットと、
前記フロアキャビネットの上部に設けられたボウル部を有する洗面カウンターと、
前記ボウル部の奥側上方に設けられた鏡と、
前記ボウル部に向けた吐水口を有する水栓と、
前記フロアキャビネットの前面上部における前記ボウル部の前方に設けられ、前記ボウル部の前面を隠す収納部と、
を備えた洗面化粧台であって、
前記ボウル部の前面は上面視にて使用者側に膨出する曲面を有し、
前記収納部の後面は前記ボウル部の前面と同様に上面視にて使用者側に膨出する曲面を有し、
さらに、前記収納部の裏から前記フロアキャビネットの奥行方向に延びる一対のインナーレールが設けられ、かつ、前記フロアキャビネットの上部には、前記フロアキャビネットの奥行方向に延びる一対のアウターレールが設けられており、
前記収納部は、前記インナーレールを前記アウターレールに係合させることで前記アウターレールに案内されて前後に引き出し自在に構成されることを特徴とする洗面化粧台。
【請求項２】
前記収納部は載置自在なトレイを備え、前記収納部の後面に沿うように、上面視にて使用者側に膨出する曲面を有することを特徴とする請求項１記載の洗面化粧台。
【発明の詳細な説明】
【技術分野】
【０００１】
本発明は、引き出し式の収納部を備えた洗面化粧台に関する。
【背景技術】
【０００２】
洗面化粧台におけるボウル部を覆い隠す幕板の裏側に、収納部を設けた構造が知られて
いる（例えば、特許文献１〜２）。
【先行技術文献】
【特許文献】
【０００３】
【特許文献１】特開２０１０−１１５４６９号公報
【特許文献２】特開２００３−１５９１８３号公報
【発明の概要】
【発明が解決しようとする課題】
【０００４】
特許文献１の図１に示されるように、ボウル前面は上面視直線状であり幕板裏側に位置しボウル前面に収納部を設け、収納部内にはボウル横幅いっぱいのトレイが配置されている。トレイは複数に分割されており、身づくろいをする際のヘアピンやヘアバンドなどの小物を小分けにして収納することができ、使い勝手が良い。幕板扉部の裏面には着脱可能なトレイが配置されている。トレイはボウルの前面のデッドスペースにあり、収納物であるヘアピン・ヘアバンド・髪止めなどを入れるのにちょうどよい。特許文献1の図６に示すように、幕板扉部の下端は軸支されており前方に回動することにより開閉可能であり、使用者から見やすい角度まで開けることができるので、身支度の際に収納物を手元で取り出せて使い勝手が良い。
ここで、ボウル前面が曲面形状となっている場合には、収納スペースを広くとるために、収納部のトレイは上面視でボウル上面視と同じように曲面形状が望ましい。
しかしながら、図１０に示すように収納部内のトレイが曲線形状の場合に下端軸支で回動することにより開閉可能とすると、収納部を開けた状態では、板部８３と幕板部５０の間に、上面視の図１１の斜線個所に示す隙間８２を生じる。収納物などが落下した際に気づかずに幕板部５０を閉めることで、落下物などが板部８３と収納部５０にはさまった場合、軸支部に近い個所には、幕板扉部により回転方向の力が働くことで、収納部や落下物などには回転方向にはさみこみの力が加わり、収納部や落下物などを破損してしまう可能性があるなどの課題がある。
すなわち単なる押される力を受けるのではなく、落下物に対してこすりつけるような動作となり、より破損しやすい状況にあった。
特許文献２に示すように、上面視前面部がボウル前面形状と同じように湾曲しているものが開示されている。ボウル前面には引き出し式収納部があり、小物などを収納することができるようになっており使い勝手がよい。しかしながら、収納部の後方は上面視で直線上となっており、ボウル前面のデッドスペースを最大限活用できず、収納スペースは小さくなってしまうなどの課題がある。
【０００５】
本発明は、使用者側に上面視膨出したボウル部の前方に収納部を設けた際に起こりうる課題に着眼してなされたものであり、本発明は、ボウル部前方という元々狭く限られた空間をなるべく多く収納部として確保しつつ、使用者がトレイの後ろ側に何かを落とした際にもその落下物に対してこすりつけるような力がかかるはさみこみによる破損低減することを目的としたものである。
【課題を解決するための手段】
【０００６】
第１の発明は、
床上に設置されるフロアキャビネットと、
前記フロアキャビネットの上部に設けられたボウル部を有する洗面カウンターと、
前記ボウル部の奥側上方に設けられた鏡と、
前記ボウル部に向けた吐水口を有する水栓と、
前記フロアキャビネットの前面上部における前記ボウル部の前方に設けられ、前記ボウル部の前面を隠す収納部と、
を備えた洗面化粧台であって、
前記ボウル部の前面は上面視にて使用者側に膨出する曲面を有し、
前記収納部の後面は前記ボウル部の前面と同様に上面視にて使用者側に膨出する曲面を有し、
さらに、前記収納部の裏から前記フロアキャビネットの奥行方向に延びる一対のインナーレールが設けられ、かつ、前記フロアキャビネットの上部には、前記フロアキャビネットの奥行方向に延びる一対のアウターレールが設けられており、
前記収納部は、前記インナーレールを前記アウターレールに係合させることで前記アウターレールに案内されて前後に引き出し自在に構成されることを特徴とする洗面化粧台である。  
第１の発明によれば、収納部の収納量を確保しつつ、使用者が収納部の後ろ側に何かを落下させた時も収納部の開閉により落下物が破損しにくい。  
第２の発明は、
前記収納部は載置自在なトレイを備え、前記収納部の後面に沿うように、上面視にて使用者側に膨出する曲面を有することを特徴とする。
第２の発明によれば、収納量を極力減らすことなく、トレイを載置できるので、トレイ着脱により、トレイ自体のメンテを極めて行いやすいものとすることができる。
【発明の効果】
【０００７】
本発明によれば、収納部の収納量を多く確保しつつ、収納部の奥側での落下物へのこすりつけるような挟み込みによる破損低減を両立することができる。
【図面の簡単な説明】
【０００８】
【図１】第１実施形態に係る洗面化粧台の斜視図。
【図２】第１実施形態に係る洗面化粧台の側面図。
【図３】第１実施形態に係る洗面化粧台における収納部が引き出された状態を示す拡大側面図。
【図４】第１実施形態に係る洗面化粧台の他の具体例の側面図。
【図５】第１実施形態に係る洗面化粧台のさらに他の具体例の側面図。
【図６】第２実施形態に係る洗面化粧台における洗面カウンターの斜視図。
【図７】第２実施形態に係る洗面化粧台における洗面カウンターの上面図。
【図８】参考例の洗面化粧台の側面図。
【図９】他の参考例の洗面化粧台の側面図。
【図１０】従来の実施形態に係る側面図
【図１１】従来の実施形態に係る収納部を開いた状態の上面図
【発明を実施するための形態】
【０００９】
以下、図面を参照し、実施形態について説明する。各図面中、同じ要素には同じ符号を
付している。
【００１０】
（第１実施形態）
図１は、第１実施形態に係る洗面化粧台の斜視図であり、図２は、その洗面化粧台の側
面図である。なお、図２では、図１に示す鏡１４や水栓１３の図示は省略している。
【００１１】
本実施形態の洗面化粧台は、フロアキャビネット１１と、洗面カウンター１２と、鏡１
４と、水栓１３と、収納部１５とを備える。
【００１２】
フロアキャビネット１１は床上に設置される。フロアキャビネット１１の上部に、洗面
カウンター１２が設けられている。
【００１３】
洗面カウンター１２は、ボウル部２３と、フロントカウンター２５と、サイドカウンタ
ー２６と、バックガード２８とを有する。これらは一体に設けられても良いし、あるいは
例えば、フロントカウンター２５、サイドカウンター２６及びバックガード２８は一体に
形成し、それに対して別体のボウル部２３を組み込んでも良い。
【００１４】
フロントカウンター２５は、ボウル部２３の前方に張り出している。サイドカウンター
２６は、ボウル部２３の幅方向の両側に張り出している。上面視で、フロントカウンター
２５及びサイドカウンター２６は、ボウル部２３の前方及び幅方向の両側を囲んでいる。
【００１５】
ボウル部２３は、フロントカウンター２５及びサイドカウンター２６の上面から落ち込
んだ凹部２３ａを有する。その凹部２３ａの底には排水孔２４が形成されている。排水孔
２４は、図示しない栓体によって開閉可能である。
【００１６】
バックガード２８は、ボウル部２３の奥側に設けられ、フロントカウンター２５及びサ
イドカウンター２６の上面よりも上方に延在している。
【００１７】
バックガード２８の前面には、水栓１３が取り付けられている。水栓１３は、ボウル部
２３に向けた吐水口が形成された吐水部１３ａと、操作部１３ｂとを含む。なお、吐水部
１３ａと操作部１３ｂは別々の位置に取り付けることに限らず、吐水部１３ａに操作部１
３ｂを取り付けた構造であってもよい。
【００１８】
鏡１４は、ボウル部２３の奥側上方に設けられている。具体的には、洗面カウンター１
２のバックガード２８上にキャビネット１９が設けられ、そのキャビネット１９の前面に
鏡１４が取り付けられている。
【００１９】
フロアキャビネット１１の内部には空間が形成され、収納空間として利用することがで
きる。その空間の上方にボウル部２３が収まっている。また、その空間内には、排水孔２
４と接続された排水管が収まっている。フロアキャビネット１１内の空間は、扉２１によ
って開閉される。また、フロアキャビネット１１の空間内には引き出し式の収納部２２が
収まっている。
【００２０】
フロントカウンター２５の下におけるフロアキャビネット１１の前面上部にも、収納部
１５が設けられている。フロアキャビネット１１の前面上部におけるボウル部２３の前方
は開口され、その開口を覆い隠すように収納部１５が設けられている。すなわち、収納部
１５は、ボウル部２３の前方（真正面）に設けられ、ボウル部２３の前面を覆い隠す幕板
としても機能する。
【００２１】
収納部１５は、引き出し式の収納部である。  
図３は、収納部１５が引き出された状態を示す拡大側面図である。
【００２２】
収納部１５は、図２及び図３において横方向にスライド自在に設けられている。収納部
１５の幅方向の両端側には、図３に示すように、収納部１５の裏からフロアキャビネット
１１の奥行き方向に延びるインナーレール３１が取り付けられている。
【００２３】
フロアキャビネット１１の上部空間内には、奥行き方向に延びるアウターレール（図示
せず）が設けられている。アウターレールは、ボウル部２３の側面よりも幅方向の外側に
設けられ、一対のアウターレールがボウル部２３を挟んで位置する。そのアウターレール
に対して、収納部１５に取り付けられたインナーレール３１が係合し、収納部１５はアウ
ターレールに案内されてスライドする。
【００２４】
また、収納部１５には、収納部１５の前面を押圧することで収納部１５が手前側（図２
及び図３において左側）に引き出されるように付勢するプッシュオープン機構が具備され
ている。
【００２５】
プッシュオープン機構は、例えば、ばねとロック機構を備える。収納部１５が開位置か
ら閉位置に向けて、図２及び図３において右方向に押し込まれると、プッシュオープン機
構のばねが圧縮される。そして、閉位置に至ると、ロック機構によって収納部１５は閉位
置に保持される。この状態で収納部１５を手前に引っ張っても引き出されない。閉位置に
ある収納部１５の前面を押圧すると、ロック機構による保持が解除されると共に、圧縮さ
れたばねの復元力によって、収納部１５が付勢されて手前側に飛び出す。
【００２６】
収納部１５は、上側が開口された箱状に形成されている。また、収納部１５に別途トレ
イを設けてもよい。収納部１５が、図１及び図２に示す閉位置にあるときは、フロントカ
ウンター２５によって収納部１５内の収納空間が覆い隠される。収納部１５が、図３に示
すように引き出されて開位置になると、収納部１５内の収納空間は洗面カウンター１２の
前端１２ａよりも手前側（図３において左側）に位置して使用者に露見する。
【００２７】
収納部１５の前面は、上面視において幅方向にボウル前面形状と同じように曲線状に延びている。湾曲した形状の収納部１５内にはトレイ５６があり、トレイ５６の後部はボウル前面形状と同じように上面視使用者側に膨出した曲線状となっているのでボウル前面のデッドスペースを大きくとることができ収納容積を広くとることができる。収納部１５の前面には、図２及び図３に示すように、側面視において段差が形成されている。すなわち、収納部１５の前面における下部１７の方が上部１６よりも奥側に位置している。また、収納部１５がフロントカウンター２５によって内部の収納空間が覆い隠された閉位置にある状態で、収納部１５の最前面は、洗面カウンター１２の前端１２ａの近傍であって前端１２ａよりも奥側、または前端１２ａと同位置に位置している。すなわち、洗面カウンター１２の前端１２ａが押圧される程度に使用者が接近した際に、収納部１５の最前面に使用者の身体が接触しうる。
【００２８】
本実施形態によれば、ボウル部２３の真正面のデッドスペースを収納部１５として利用
することができる。また、収納部１５は、プッシュオープン式の引き出しであるため、取
っ手や把持部を設ける必要がない。そのためデザイン性に優れ、また手が濡れた状態でも
容易に収納部を引き出すことができる。引き出しとすることで、収納物がトレイ５６の後ろ側に落下した際に気づかず引き出しを閉めようとする際に、落下物が引っかかった場合でも、落下物を巻き込む回転方向に力がかからず、落下物に収納部を閉方向横方向の押し力が加わる程度で異常に気付き、誤って収納部１５と板部８３に落下物をはさみこんでしまい、破損してしまうなどの可能性が低減できる。
【００２９】
収納部１５の最前面は、洗面カウンター１２の前端１２ａよりも奥側または同位置に配
置されていると共に、収納部１５の前面における下部１７の方が上部１６よりも奥側に配
置されている。このため、収納部１５の前面と、使用者の身体との接触面積を低減できる
。
【００３０】
また、検討の結果、使用者１００が洗面化粧台の前でボウル部２３の上方に上半身を乗
り出してかがんだ姿勢をとると、図８に示すように、特に収納部９１の前面９１ａの下部
に対して使用者１００の大腿部からの押圧力が作用しやすいととの知見を得るに至った。
【００３１】
したがって、本実施形態のように、収納部１５の前面の下部１７を奥側に位置させるこ
とで、洗面カウンター１２の前端１２ａが押圧される程度に使用者１００が接近した際に
、収納部１５の前面に対して、プッシュオープン機構のロックを解除するほどの押圧力が
作用しにくくなり、不意に収納部１５が手前側に引き出されることが防止される。
【００３２】
さらに本実施形態では、図９に示す参考例のように、収納部９２の前面９２ａを洗面カ
ウンター１２の前端１２ａに対して大きく奥側に位置させなくてもよく、収納量の低減を
まねかない。
【００３３】
すなわち、本実施形態によれば、ボウル部２３前方の限られたスペースに設けられる収
納部１５の収納量をできるだけ多く確保しつつ、使用者が洗面化粧台に接近した際に不意
にプッシュオープン式の収納部１５が引き出されることを防止できる。
【００３４】
図４は、第１実施形態に係る洗面化粧台の他の具体例の側面図である。
【００３５】
この収納部３５の前面の上部１６は、前述した収納部１５と同様にほぼ鉛直方向に延び
るが、収納部３５の前面の下部３６は、奥側に向かうほど下方向に向かうように傾斜して
いる。
【００３６】
収納部３５の前面の下部３６を傾斜させることにより、不意に収納部３５が開きやすく
なるという不具合を解決でき、且つ前面の一部を欠いた階段状にした構造に比べ、収納量
を多く確保することが可能となる。
【００３７】
図５は、第１実施形態に係る洗面化粧台のさらに他の具体例の側面図である。
【００３８】
この具体例においても、収納部３７の前面の上部１６は、ほぼ鉛直方向に延びる。そし
て、収納部３７の前面の下部３８は、側面視で前方側に凸となる曲面状に形成されている
。すなわち、上部１６の下に続く下部３８の全体が曲面状に膨出している。
【００３９】
収納部３７の前面の下部３８が曲面状に形成されているため、使用者の身体が収納部３
７の前面に接触しても、その接触面積を小さくでき、不意に収納部３７が引き出されるこ
とを、より確実に防止することができる。なおかつ、収納部３７の底部の内容積を大きく
でき、収納量を最大限大きくすることが可能となる。
【００４０】
なお、収納部の前面の上部は、側面視で直線状であることに限らず、曲面状であっても
よい。
【００４１】
（第２実施形態）
図６は、第２実施形態に係る洗面化粧台における洗面カウンター１２の斜視図であり、
図７（ａ）及び図７（ｂ）は、その洗面カウンター１２の上面図である。図７（ａ）は、
収納部５０が閉位置にある状態を表し、図７（ｂ）は、収納部５０が洗面カウンター１２
の手前側に引き出された開位置にある状態を表す。なお、本実施形態の洗面化粧台におい
ても、第１実施形態と同様な、図示しない他の要素を具備している。
【００４２】
洗面カウンター１２は、ボウル部２３と、フロントカウンター５５と、サイドカウンタ
ー２６と、バックガード２８とを有する。フロントカウンター５５は、ボウル部２３の前
方に張り出している。本実施形態のフロントカウンター５５は、上面視において、幅方向
の端部側よりも中央部側の方が手前側に突出した形状に形成されている。すなわち、フロ
ントカウンター５５は湾曲した形状で前方に張り出している。
【００４３】
フロントカウンター５５の下におけるフロアキャビネット１１の前面上部には、収納部
５０が設けられている。フロアキャビネット１１の前面上部におけるボウル部２３の前方
は開口され、その開口を覆い隠すように収納部５０が設けられている。すなわち、収納部
５０は、ボウル部２３の前方（真正面）に設けられ、ボウル部２３の前面を覆い隠す幕板
としても機能する。湾曲した形状の収納部５０内にはトレイ５６があり、トレイ５６の後部はボウル前面形状と同じように使用者側に上面視膨出形状となっているのでボウル前面のデッドスペースを大きくとることができ収納容積を広くとることができる。
【００４４】
収納部５０は、引き出し式の収納部である。収納部５０は、図７（ａ）及び図７（ｂ）
において上下方向にスライド自在に設けられている。収納部５０の幅方向の両端側には、
プッシュオープン機構５７（図７（ａ）において破線で示す）を具備したインナーレール
が取り付けられている。インナーレールは、収納部５０の裏からフロアキャビネット１１
の奥行き方向に延びる。
【００４５】
フロアキャビネット１１の上部空間内には、奥行き方向に延びるアウターレールが設け
られている。アウターレールは、ボウル部２３の側面よりも幅方向の外側に設けられ、一
対のアウターレールがボウル部２３を挟んで位置する。そのアウターレールに対して、収
納部５０に取り付けられたインナーレールが係合し、収納部５０はアウターレールに案内
されてスライドする。
【００４６】
プッシュオープン機構５７は、例えば、ばねとロック機構を備え、収納部５０の前面を
押圧することで収納部５０が手前側に引き出されるように付勢する。
【００４７】
収納部５０は、上側が開口された箱状に形成され、図７（ｂ）に示すように、内部にト
レイ５６が設けられている。収納部５０が、図６及び図７（ａ）に示す閉位置にあるとき
は、フロントカウンター５５によって収納部５０内の収納空間が覆い隠される。収納部５
０が、図７（ｂ）に示すように引き出されて開位置になると、収納部５０内の収納空間は
洗面カウンター１２の前端１２ａよりも手前側に位置して使用者に露見する。
【００４８】
収納部５０の前面は、上面視において、幅方向の端部側よりも中央部側の方が手前側に
突出した形状に形成されている。すなわち、フロントカウンター５５の形状に沿った形状
に湾曲している。
【００４９】
また、収納部５０の前面には、図６に示すように、段差が形成されている。すなわち、
収納部５０の前面における下部５２の方が上部５１よりも奥側に位置している。また、収
納部５０の最前面は、洗面カウンター１２の前端１２ａよりも奥側または同位置に位置し
ている。
【００５０】
あるいは、図４に示す収納部３５のように、本実施形態の収納部５０の前面の下部５２
を、奥側に向かうほど下方向に向かうように傾斜させてもよい。あるいは、図５に示す収
納部３７のように、本実施形態の収納部５０の前面の下部５２を、側面視で前方側に凸と
なる曲面状に膨出させてもよい。なお、本実施形態においても、収納部５０の前面の上部
５１は、側面視で直線状であることに限らず、曲面状であってもよい。
【００５１】
本実施形態ににおいても、ボウル部２３の真正面のデッドスペースを収納部５０として
利用することができる。また、収納部５０は、プッシュオープン式の引き出しであるため
、取っ手や把持部を設ける必要がない。そのためデザイン性に優れ、また手が濡れた状態
でも容易に収納部を引き出すことができる。
【００５２】
収納部５０の最前面は、洗面カウンター１２の前端１２ａよりも奥側または同位置に配
置されていると共に、収納部５０の前面における下部５２の方が上部５１よりも奥側に配
置されている。このため、収納部５０の前面と、使用者の身体との接触面積を低減できる
。また、洗面カウンター１２の前端１２ａが押圧される程度に使用者が接近した際に、収
納部５０の前面に対して、プッシュオープン機構のロックを解除するほどの押圧力が作用
しにくくなり、不意に収納部５０が手前側に引き出されることが防止される。
【００５３】
さらに、本実施形態では、収納部５０の前面が、上面視において幅方向の端部側よりも
中央側の方が手前側に突出した形状であるため、使用者の身体が収納部５０の前面に接触
した場合であっても、その接触面積を小さくでき、不意に収納部５０が引き出されること
を、より確実に防止することができる。
【００５４】
収納部５０の前面は、前述したように、弓なり状に湾曲している。その収納部５０の前
面における幅方向の両端を第１エリア６１（図７（ａ））とする。その両端の第１エリア
６１の間を第２エリア６２（図７（ａ））とする。収納部のトレイ５６は仕切り７２が設けてあり、収納物を小分けにして収納することができる。
【００５５】
プッシュオープン機構５７は第１エリア６１の裏側に設けられている。このため、第１
エリア６１を所定の押圧力以上の力でまっすぐに押し込めば、プッシュオープン機構５７
を作動させて、収納部５０を引き出すことができる。
【００５６】
一方、前記所定の押圧力が第２エリア６２に加わっても、プッシュオープン機構５７が
作動しないように、プッシュオープン機構５７に伝達される押圧力を弱める押圧力低減手
段を第２エリア６２は有する。具体的に、押圧力低減手段は、第２エリア６２に可撓性を
付与したものである。
【００５７】
例えば、収納部５０は樹脂からなり、弓なり状に湾曲して形成されている。そのため、
手前側に突出している幅方向の中央部を押圧すると、その中央部と端部（第１エリア６１
）との間の部分が撓み、中央部に押圧された力が端部には伝わりにくく、むしろ端部を手
前側に浮かせるような付勢力が生じる。
【００５８】
したがって、ボウル部２３の正面に立つ使用者の身体が接触しやすい部位（第２エリア
６２）に押圧力が作用しても、端部（第１エリア６１）の裏側に設けられたプッシュオー
プン機構５７に伝達される押圧力が弱まり、収納部５０が不意に引き出されにくい。
【００５９】
上記押圧力低減手段として第２エリア６２に可撓性を付与する構造は、例えば、収納部
５０の前面を薄肉あるいは軟質な材料にするだけで実現でき、構造を簡素化できる。
【００６０】
また、本実施形態においても、図９に示す参考例のように、収納部９２の前面９２ａを
洗面カウンター１２の前端１２ａに対して大きく奥側に位置させなくてもよく、収納量の
低減をまねかない。
【００６１】
すなわち、本実施形態によれば、ボウル部２３前方の限られたスペースに設けられる収
納部５０の収納量をできるだけ多く確保しつつ、使用者が洗面化粧台に接近した際に不意
にプッシュオープン式の収納部５０が引き出されることを防止できる。
引き出しとすることで、収納物がトレイ５６の後ろ側に落下した際に気づかず引き出しを閉めようとする際に、落下物が引っかかった場合でも、落下物を巻き込む回転方向にこすりつけるような力がかからず、落下物が破損しにくくなる。
また落下物に収納部を閉方向横方向の押し力が加わる程度で異常に気付き、誤って収納部５０と板部８３に落下物をはさみこんでしまい、破損してしまうなどの可能性が低減できる。
【００６２】
本発明のいくつかの実施形態を説明したが、これらの実施形態は、例として提示したも
のであり、発明の範囲を限定することは意図していない。これら新規な実施形態は、その
他の様々な形態で実施されることが可能であり、発明の要旨を逸脱しない範囲で、種々の
省略、置き換え、変更を行うことができる。これら実施形態やその変形は、発明の範囲や
要旨に含まれるとともに、特許請求の範囲に記載された発明とその均等の範囲に含まれる
。
【符号の説明】
【００６３】
１１…フロアキャビネット、１２…洗面カウンター、１３…水栓、１４…鏡、１５，３
５，３７，５０…収納部、１６，５１…上部、１７，３６，３８，５２…下部、２３…ボ
ウル部、２５，５５…フロントカウンター、２６…サイドカウンター、２８…バックガー
ド、５７…プッシュオープン機構、６１…第１エリア、６２…第２エリア、７２仕切り、８２…隙間、８３…板部
【図１】
0005742077.tif 000002
【図２】
0005742077.tif 000003
【図３】
0005742077.tif 000004
【図４】
0005742077.tif 000005
【図５】
0005742077.tif 000006
【図６】
0005742077.tif 000007
【図７】
0005742077.tif 000008
【図８】
0005742077.tif 000009
【図９】
0005742077.tif 000010
【図１０】
0005742077.tif 000011
【図１１】
0005742077.tif 000012